(57)【特許請求の範囲】
【請求項１】
ダクトにハーネスを保持させるためのハーネス保持機構であって、
(ａ)前記ダクトが、
一対の略半割り筒状部と、前記一対の略半割り筒状部を接続するヒンジ部とを備え、ヒンジ部で折り曲げて閉じ合わせることにより筒状となるダクト構成部材と、
一方の略半割り筒状部に配設された一方側係合片を、他方の略半割り筒状部に配設された他方側係合片に係合させることにより、前記ダクト構成部材を筒状に保持するとともに、一方側係合片を、他方側係合片に係合させた状態で、前記筒状になった前記ダクト構成部材との間に、閉環状のハーネス保持部が形成されるように構成された締結部とを具備しており、
(ｂ)ハーネスが、前記閉環状のハーネス保持部に保持されているとともに、
(ｃ)前記他方側係合片が、筒状になった状態の前記ダクト構成部材の周方向に、前記一方側係合片に近い方から順に、所定の間隔をおいて配設された、第１の係合片と第２の係合片の２つの係合片を備えており、前記一方側係合片が、前記第１および第２の係合片の両方に係合し、前記筒状になったダクト構成部材と、前記第１および第２の係合片と、前記一方側係合片とにより閉環状の前記ハーネス保持部が形成されていること
を特徴とするハーネス保持機構。
【請求項２】
前記一方側係合片が前記ダクト構成部材から離脱した場合にも、前記一方側係合片が前記第１の係合片および前記第２の係合片に係合した状態が維持されるように、前記第１の係合片および第２の係合片には、前記一方側係合片との係合が外れないようにするための係脱防止部が設けられており、前記一方側係合片には前記係脱防止部と係合する係合孔が設けられ、さらに、前記係脱防止部として、第１の係合片には、前記係合孔の一端側と係合する係合突起が形成され、第２の係合片には、前記係合孔の他端側と係合する係合突起が形成されていることを特徴とする請求項１記載のハーネス保持機構。
【請求項３】
前記第１の係合片が、前記一方側係合片と前記第２の係合片の係合が外れた状態においても、前記一方側係合片における前記係合孔の他端側と前記第１の係合片の端部が干渉して、前記一方側係合片と前記第１の係合片の係合が完全には外れないような形状を備え、前記ダクト構成部材が完全に開いた状態にならないように構成されていることを特徴とする請求項２記載のハーネス保持機構。
【請求項４】
前記ダクト構成部材がさらに、ヒンジ部で折り曲げて閉じ合わせることにより筒状となった状態を保持するための保持固定部を備えていることを特徴とする請求項１〜３のいずれかに記載のハーネス保持機構。
【請求項５】
前記ダクトが、本体ケース内に洗浄槽が収容されているとともに、洗浄後の食器を乾燥させる乾燥用空気を供給するための給気ダクト、および、各部との電気的接続のためのハーネスが収容された構造を有する食器洗浄乾燥機における、前記乾燥用空気を供給するための給気ダクトであることを特徴とする請求項１〜４のいずれかに記載のハーネス保持機構。
【請求項６】
請求項４または５記載のハーネス保持機構を利用したハーネス保持方法であって、
前記ダクト構成部材と、前記締結部とを備えてなる前記ダクトを組み立てる工程において、
前記ダクト構成部材を前記ヒンジ部で折り曲げて閉じ合わせ、前記保持固定部により、前記ダクト構成部材の形状を筒状に固定した後、前記締結部を締結し、前記ダクト構成部材と前記締結部により形成された閉環状の前記ハーネス保持部に前記ハーネスを保持させること
を特徴とするハーネス保持方法。
【発明の詳細な説明】
【技術分野】
【０００１】
本願発明は、ハーネス保持機構およびハーネス保持方法に関し、詳しくは、ダクトにハーネスを保持させるためのハーネス保持機構およびハーネス保持方法に関する。
【背景技術】
【０００２】
ハーネスを備えた食器洗浄乾燥機は通常、洗浄後の食器を乾燥させるために、洗浄槽に乾燥用空気を供給するためのファンおよび乾燥用空気を通過させるための給気ダクトを備えている。
例えば、図９，１０および１１は、そのような食器洗浄乾燥機の一例を示すものである。なお、図９は従来の食器洗浄乾燥機を示す斜視図、図１０は図９の食器洗浄乾燥機の要部構成を示す斜視図、図１１は図９の食器洗浄乾燥機において用いられている給気ダクトの要部構成を示す斜視図である。
【０００３】
この食器洗浄乾燥機５０は、本体ケース５１内に蓋（図示せず）を備えた洗浄槽５２が収容され、ドア５３を操作することにより、洗浄槽５２を本体ケース５１から引き出して、食器の出し入れを行うことができるように構成されている。
そして、本体ケース５１の底部には、洗浄後の食器を乾燥させるための乾燥用空気を供給するためのファン６１，洗浄槽５２に供給される乾燥用空気を通過させる給気ダクト６２、ファン６１などの機器に接続されるハーネス６３（図９，図１１）などが配設されている。
そして、給気ダクト６２は、洗浄槽５２に接続される給気連結ダクト６４に接続されており、乾燥用空気がファン６１から、給気ダクト６２、給気連結ダクト６４を経て洗浄槽５２に供給されるように構成されている。
また、給気ダクト６２は、図１０に示すように、上側および下側の半割り筒状部６２ａ，６２ａから形成されおり、半割り筒状部６２ａ，６２ａを合わせてネジ６５で一体に固定することにより筒状の給気ダクト６２として用いることができるように構成されている。
【０００４】
そして、上記従来の食器洗浄乾燥機において、ハーネス６３は、図１１に示すように、給気ダクト６２を構成する上側の半割り筒状部６２ａの上面の所定の位置に複数のリブ６６を配設することにより形成されたハーネス保持部６７に沿うように保持されており、給気ダクト６２とともに本体ケース５１の内部に配設されている。
【０００５】
しかしながら、上記従来の食器洗浄乾燥機においては、ハーネス６３をリブ６６に沿わせて保持しているだけであることから、ハーネス６３に浮きやたるみが生じやすく、ハーネス６３が洗浄槽や他の部材に絡まって、意図するように引き回すことができない場合が生じるというようなおそれがある。
【０００６】
また、ハーネス６３の浮きやたるみを防止するためには、コードクランプを用いてコードを束ねたり他部材に固定したりすることが必要になり、作業性が悪く、工数が増加するという問題点がある。
【０００７】
また、上記従来の食器洗浄乾燥機においては、半割り筒状部６２ａ，６２ｂを閉じ合わせて、ネジ６５で一体に固定することにより形成されており、給気ダクト６２の組立に手間がかかるという問題点がある。
また、給気ダクトの構成や、給気ダクトにハーネスを取り付けるための機構を付加したものなどが提案されているが（特許文献１〜４参照）、いずれも、部品（部材）点数の増加を招いたり、ダクトの形成やハーネスの取り付けなどの作業に手間がかかったりするなどの問題点があるのが実情である。
【特許文献１】特開２００１−１８６２６号公報
【特許文献２】特開２００３−７２５９２号公報
【特許文献３】実開平５−４６７５７号公報
【特許文献４】特開平６−８６４２５号公報
【発明の開示】
【発明が解決しようとする課題】
【０００８】
本願発明は、上記課題を解決するものであり、コードクランプなどの部品を用いることが不要で、部品点数を増やすことなくハーネスを確実に保持することが可能なハーネス保持機構およびハーネス保持方法を提供することを目的とする。
【課題を解決するための手段】
【０００９】
上記課題を解決するために、本願発明（請求項１）のハーネス保持機構は、
ダクトにハーネスを保持させるためのハーネス保持機構であって、
(ａ)前記ダクトが、
一対の略半割り筒状部と、前記一対の略半割り筒状部を接続するヒンジ部とを備え、ヒンジ部で折り曲げて閉じ合わせることにより筒状となるダクト構成部材と、
一方の略半割り筒状部に配設された一方側係合片を、他方の略半割り筒状部に配設された他方側係合片に係合させることにより、前記ダクト構成部材を筒状に保持するとともに、一方側係合片を、他方側係合片に係合させた状態で、前記筒状になった前記ダクト構成部材との間に、閉環状のハーネス保持部が形成されるように構成された締結部とを具備しており、
(ｂ)ハーネスが、前記閉環状のハーネス保持部に保持されているとともに、
(ｃ)前記他方側係合片が、筒状になった状態の前記ダクト構成部材の周方向に、前記一方側係合片に近い方から順に、所定の間隔をおいて配設された、第１の係合片と第２の係合片の２つの係合片を備えており、前記一方側係合片が、前記第１および第２の係合片の両方に係合し、前記筒状になったダクト構成部材と、前記第１および第２の係合片と、前記一方側係合片とにより閉環状の前記ハーネス保持部が形成されていること
を特徴としている。
【００１０】
また、請求項２のハーネス保持機構は、請求項１の発明の構成において、
前記一方側係合片が前記ダクト構成部材から離脱した場合にも、前記一方側係合片が前記第１の係合片および前記第２の係合片に係合した状態が維持されるように、前記第１の係合片および第２の係合片には、前記一方側係合片との係合が外れないようにするための係脱防止部が設けられており、前記一方側係合片には前記係脱防止部と係合する係合孔が設けられ、さらに、前記係脱防止部として、第１の係合片には、前記係合孔の一端側と係合する係合突起が形成され、第２の係合片には、前記係合孔の他端側と係合する係合突起が形成されていることを特徴としている。
【００１１】
また、請求項３のハーネス保持機構は、請求項２の発明の構成において、前記第１の係合片が、前記一方側係合片と前記第２の係合片の係合が外れた状態においても、前記一方側係合片における前記係合孔の他端側と前記第１の係合片の端部が干渉して、前記一方側係合片と前記第１の係合片の係合が完全には外れないような形状を備え、前記ダクト構成部材が完全に開いた状態にならないように構成されていることを特徴としている。
【００１２】
また、請求項４のハーネス保持機構は、請求項１〜３のいずれかに記載の発明の構成において、前記ダクト構成部材がさらに、ヒンジ部で折り曲げて閉じ合わせることにより筒状となった状態を保持するための保持固定部を備えていることを特徴としている。
【００１３】
また、請求項５のハーネス保持機構は、請求項１〜４のいずれかに記載の発明の構成において、
前記ダクトが、本体ケース内に洗浄槽が収容されているとともに、洗浄後の食器を乾燥させる乾燥用空気を供給するための給気ダクト、および、各部との電気的接続のためのハーネスが収容された構造を有する食器洗浄乾燥機における、前記乾燥用空気を供給するための給気ダクトであることを特徴としている。
【００１４】
また、本願発明（請求項６）のハーネス保持方法は、
請求項４または５記載のハーネス保持機構を利用したハーネス保持方法であって、
前記ダクト構成部材と、前記締結部とを備えてなる前記ダクトを組み立てる工程において、
前記ダクト構成部材を前記ヒンジ部で折り曲げて閉じ合わせ、前記保持固定部により、前記ダクト構成部材の形状を筒状に固定した後、前記締結部を締結し、前記ダクト構成部材と前記締結部により形成された閉環状の前記ハーネス保持部に前記ハーネスを保持させること
を特徴としている。
【発明の効果】
【００１５】
本願発明（請求項１）のハーネス保持機構は、ダクトにハーネスを保持させるためのハーネス保持機構であって、(ａ)ダクトが、一対の略半割り筒状部と、一対の略半割り筒状部を接続するヒンジ部とを備え、ヒンジ部で折り曲げて閉じ合わせることにより筒状となるダクト構成部材と、一方の略半割り筒状部に配設された一方側係合片を、他方の略半割り筒状部に配設された他方側係合片に係合させることにより、前記ダクト構成部材を筒状に保持するとともに、一方側係合片を、他方側係合片に係合させた状態で、前記筒状になった前記ダクト構成部材との間に、閉環状のハーネス保持部が形成されるように構成された締結部とを具備しており、(ｂ)ハーネスが、前記閉環状のハーネス保持部に保持されているとともに、(ｃ)前記他方側係合片が、筒状になった状態の前記ダクト構成部材の周方向に、前記一方側係合片に近い方から順に、所定の間隔をおいて配設された、第１の係合片と第２の係合片の２つの係合片を備えており、前記一方側係合片が、前記第１および第２の係合片の両方に係合し、前記筒状になったダクト構成部材と、前記第１および第２の係合片と、前記一方側係合片とにより閉環状の前記ハーネス保持部が形成されているので、特にコードクリップを用いてハーネスを束ねたり、他部材に固定したりすることを必要とせずに、容易にダクトを組み立てることができるとともに、筒状になったダクト構成部材と締結部により形成されるハーネス保持部にハーネスを確実に保持させることが可能になる。
【００１６】
すなわち、本願発明によれば、ダクト構成部材を筒状に保つための締結部を用いて筒状にしたダクト構成部材を締結することにより、ハーネスを保持するための閉環状のハーネス保持部が形成されることから、別部材を用いることなく、また、ハーネスを束ねたり、別部材に保持させたりする工程を必要とすることなく、ハーネスを該ハーネス保持部に確実に保持させることが可能になる。
【００１７】
また、請求項２のハーネス保持機構のように、一方側係合片がダクト構成部材から離脱した場合にも、一方側係合片が第１の係合片および前記第２の係合片に係合した状態が維持されるように、第１の係合片および第２の係合片には、一方側係合片との係合が外れないようにするための係脱防止部が設けられており、前記一方側係合片には前記係脱防止部と係合する係合孔が設けられ、さらに、前記係脱防止部として、第１の係合片には、前記係合孔の一端側と係合する係合突起が形成され、第２の係合片には、前記係合孔の他端側と係合する係合突起が形成されている場合、例えば、一方側係合片が折損してダクト構成部材から離脱したような場合にも、一方側係合片が第１の係合片および第２の係合片に係合した状態が維持されるため、ダクト構成部材が略筒状に保たれ、かつ、一方側係合片、第１の係合片および第２の係合片が、ハーネス固定用の係合片として機能することが可能になり、本願発明をさらに実効あらしめることができる。
【００１８】
また、請求項３のハーネス保持機構のように、請求項２の発明の構成において、第１の係合片が、一方側係合片と第２の係合片の係合が外れた状態においても、一方側係合片における前記係合孔の他端側と前記第１の係合片の端部が干渉して、一方側係合片と第１の係合片の係合が完全には外れないような形状を備えた構成とした場合、一方側係合片と第１の係合片の係合が完全には外れないようにして、ダクト構成部材が完全に開いた状態にならないようにすることが可能になり、ハーネスを引き回す作業が終わるまで、一方側係合片が周囲部品に干渉することが可能になるため、本願発明をさらに実効あらしめることができる。
【００１９】
また、請求項４のハーネス保持機構のように、請求項１〜３のいずれかの発明の構成において、ダクト構成部材がさらに、ヒンジ部で折り曲げて閉じ合わせることにより筒状となった状態を保持するための保持固定部を備えた構成とした場合、ダクト構成部材を保持固定部により確実に筒状に保持固定した後、ハーネスの引き回しや、ハーネス保持部にハーネスを保持させるための作業などを行うことができるため、ダクトの取り付け態様などにより、ハーネス保持部である閉環状領域がダクトのいずれの位置（例えば、上側や下側、左側や右側の位置）にある場合にも、容易かつ確実にハーネスをハーネス保持部に保持させることが可能になる。
【００２０】
また、請求項５のハーネス保持機構のように、請求項１〜４のいずれかの発明の構成において、ダクトが、本体ケース内に洗浄槽が収容されているとともに、洗浄後の食器を乾燥させる乾燥用空気を供給するための給気ダクト、および、各部との電気的接続のためのハーネスが収容された構造を有する食器洗浄乾燥機における、前記乾燥用空気を供給するための給気ダクトである場合、特にコードクリップを用いてハーネスを束ねたり、他部材に固定したりすることを必要とせずに、容易に給気ダクトを組み立てることができるとともに、筒状になったダクト構成部材と締結部により形成されるハーネス保持部にハーネスを確実に保持させることが可能になり、ハーネス保持機構を用いた食器洗浄乾燥機などに利用することが可能になる。
【００２１】
また、本願発明（請求項６）のハーネス保持方法は、請求項４または５記載のハーネス保持機構を利用したハーネス保持方法であって、ダクト構成部材と、締結部とを備えてなるダクトを組み立てる工程において、ダクト構成部材をヒンジ部で折り曲げて閉じ合わせ、保持固定部により、ダクト構成部材の形状を筒状に固定した後、締結部を締結し、ダクト構成部材と締結部により形成された閉環状のハーネス保持部にハーネスを保持させるようにしているので、ダクト構成部材を保持固定部により確実に筒状に保持固定した後、ハーネスの引き回しや、ハーネス保持部にハーネスを保持させるための作業などを行うことができるため、ダクトの取り付け態様などにより、ハーネス保持部である閉環状領域がダクトのいずれの位置（例えば、上側や下側、左側や右側の位置）にある場合にも、容易かつ確実にハーネスをハーネス保持部に保持させることが可能になり、ハーネスを保持させたダクトを所定の位置に配設することにより、請求項４または５に記載のハーネス保持機構を用いたハーネス保持方法により、食器洗浄乾燥機などを効率よく製造することが可能になる。
【発明を実施するための最良の形態】
【００２２】
以下に本願発明の実施例を示して、本願発明の特徴とするところをさらに詳しく説明する。
【実施例１】
【００２３】
図１は本願発明の一実施例にかかる食器洗浄乾燥機を示す斜視図、図２は本願発明の一実施例にかかるハーネス保持機構が用いられている食器洗浄乾燥機を示す図、図３〜図７は、本願発明の一実施例にかかる食器洗浄乾燥機を据え付け施工する場合において、ハーネスをハーネス保持部である閉環状領域に保持させる方法を説明する図である。
【００２４】
この実施例の、ハーネス保持機構を備えた食器洗浄乾燥機１０は、図１に示すように、本体ケース１内に蓋（図示せず）を備えた洗浄槽２が収容され、ドア３を操作することにより、洗浄槽２を本体ケース１から引き出すことができるように構成されている。
【００２５】
そして、本体ケース１の底部には、洗浄後の食器を乾燥させるための乾燥用空気を供給するためのファン１１，洗浄槽２に供給される乾燥用空気を通過させる給気ダクト１２、ファン１１などの機器に接続されるハーネス２３（図１，図２）などが配設されている。
【００２６】
また、給気ダクト１２は、洗浄槽２に接続される給気連結ダクト（図示せず）に接続されており、乾燥用空気がファン１１から、給気ダクト１２、給気連結ダクトを経て洗浄槽２に供給されるように構成されている。
【００２７】
また、給気ダクト１２は、図３、図４および図５に示すように、
(ａ)一対の略半割り筒状部１２ａ，１２ｂと、一対の略半割り筒状部１２ａ，１２ｂを接続するヒンジ部１３とを備え、ヒンジ部１３で折り曲げて閉じ合わせることにより筒状となるダクト構成部材１４と、
(ｂ)一方の略半割り筒状部１２ａに配設された２つの一方側係合片１５と、他方の略半割り筒状部１２ｂに配設された、第１の係合片１６および第２の係合片１７の２つの係合片からなる、２つの他方側係合片１８（図４参照）とを備えた締結部１９（図５）とを備えている。
【００２８】
そして、締結部１９を構成する一方側係合片１５を、他方側係合片１８（を構成する第１の係合片１６および第２の係合片１７）に係合させることにより、ダクト構成部材１４が筒状に保持されるように構成されている。
【００２９】
そして、この実施例では、締結部１９の、一方側係合片１５を、他方側係合片１８（を構成する第１の係合片１６および第２の係合片１７）に係合させた状態で、筒状になったダクト構成部材１４との間に、閉環状のハーネス保持部２０（図７）が形成されるように構成されている。さらに具体的に説明すると、上記第１の係合片１６および第２の係合片１７は、筒状になった状態のダクト構成部材１４（給気ダクト１２）の周方向に、一方側係合片１５に近い方から順に所定の間隔をおいて配設されており、一方側係合片１５が、第１および第２の係合片１６，１７の両方に係合することにより、図６および図７に示すように、筒状になったダクト構成部材１４と、第１および第２の係合片１６，１７と、一方側係合片１５とにより、閉環状のハーネス保持部２０が形成されるように構成されている。
【００３０】
そして、この実施例の食器洗浄乾燥機１０においては、一方側係合片１５がダクト構成部材１４から離脱した場合（例えば、切断されてダクト構成部材１４から分離した場合など）にも、一方側係合片１５が第１の係合片１６および第２の係合片１７に係合した状態が維持されるように、第１の係合片１６および第２の係合片１７には、一方側係合片１５との係合が外れないようにするため係脱防止部１６ａ，１７ａ（図４参照）が設けられている。すなわち、この実施例では、第１の係合片１６には、一方側係合片１５の係合孔１５ａと係合する係合突起（係脱防止部）１６ａが形成され、第２の係合片１７には、一方側係合片１５の係合孔１５ａと係合するフック状の係合突起（係脱防止部）１７ａが形成されている。
【００３１】
さらに、この実施例の食器洗浄乾燥機１０においては、ダクト構成部材１４は、ヒンジ部１３で折り曲げて閉じ合わせることにより筒状となった状態を保持するための保持固定部２１を備えている。
【００３２】
保持固定部２１は、具体的には、図３に示すように、一方の略半割り筒状部１２ａに形成されたフック状の係合部２１ａと、他方の略半割り筒状部１２ｂに形成された係合部２１ｂとから形成されており、ダクト構成部材１４をヒンジ部１３で折り曲げて閉じ合わせた後、係合部２１ａと係合部２１ｂとを係合させることにより、ダクト構成部材１４が筒状の状態に確実に保持されるように構成されている。
【００３３】
また、この実施例の食器洗浄乾燥機１０においては、図８に示すように、一方側係合片１５と第２の係合片１７の係合が外れた状態においても、第１の係合片１６が、一方側係合片１５の動作を干渉し、一方側係合片１５と第１の係合片１６の係合が完全には外れないような形状を備えており、ダクト構成部材１４が完全に開いた状態にならないように構成されている。すなわち、この実施例の食器洗浄乾燥機においては、第１の係合片１６の高さを高くし、一方側係合片１５と第２の係合片１７の係合が外れて、図８の矢印Ｙの方向に回動しようとした場合に、一方側係合片１５の係合孔１５ａの端部と、第１の係合片１６の上端部１６ｂが干渉して、ダクト構成部材１４が完全に開いた状態にならないように構成されている。
したがって、一方側係合片１５と第２の係合片１７の係合が外れたときにも、一方側係合片１５と第１の係合片１６の係合が完全には外れることがなく、ダクト構成部材１４が完全に開いた状態にならないように保持されるため、ハーネス２３を引き回す作業が終わるまで、一方側係合片１５が周囲部品に干渉することが可能になり、食器洗浄乾燥機の製造作業を妨げることを防止することができる。
【００３４】
次に、上述の食器洗浄乾燥機１０を製造する場合に、給気ダクト１２を組み立てて、ハーネス２３をダクト構成部材１４と締結部１９により形成されるハーネス保持部２０に保持させる方法について説明する。
【００３５】
まず、図３および図４に示すように、展開した状態のダクト構成部材１４を構成する一対の略半割り筒状部１２ａ，１２ｂを、ヒンジ部１３において折り曲げて閉じ合わせる。
【００３６】
次いで、一方の略半割り筒状部１２ａに形成されたフック状の係合部２１ａと、他方の略半割り筒状部１２ｂに形成された係合部２１ｂとを係合させて、ダクト構成部材１４を筒状に固定する。
【００３７】
それから、図５に示すように、第１の係合片１６および第２の係合片１７の間にハーネス２３を嵌め込む。
【００３８】
次に、図６に示すように、一方の略半割り筒状部１２ａに形成された一方側係合片１５を、他方の略半割り筒状部１２ｂに形成された他方側係合片１８を構成する第１の係合片１６および第２の係合片１７に係合させる。
【００３９】
このとき、一方側係合片１５の係合孔１５ａが、第１の係合片１６および第２の係合片１７に設けられた係脱防止部１６ａ，１７ａと係合し、一方側係合片１５がダクト構成部材１４から離脱した場合（例えば、切断されてダクト構成部材１４から分離した場合など）にも、一方側係合片１５が他方側係合片１８を構成する第１の係合片１６および第２の係合片１７に係合した状態が維持されるように構成されている。
【００４０】
図６および図７に示すように、一方側係合片１５を、他方側係合片１８を構成する第１の係合片１６および第２の係合片１７に係合させることにより、ハーネス２３が嵌め込まれている第１の係合片１６および第２の係合片１７の間の領域が、閉環状領域（ハーネス保持部２０）となり、ハーネス２３がこの閉環状領域（ハーネス保持部２０）に確実に保持される。
【００４１】
そして、ハーネス２３がハーネス保持部２０に保持された状態の給気ダクト１２を、図２に示すように、本体ケース１の内部（洗浄槽２の下側）の所定の位置に配設することにより、食器洗浄乾燥機１０を効率よく組み立てることができる。
【００４２】
なお、この実施例の食器洗浄乾燥機１０においては、給気ダクト１２のハーネス２３を保持する面（すなわち、ハーネス保持部２０が形成された面）が下向き（下面側）になるように構成されているが、本願発明は、ハーネス保持部２０が給気ダクト１２の右側、あるいは左側の側面に位置するような構成や、上面側に位置するような構成とすることも可能である。
【００４３】
この食器洗浄乾燥機１０においては、締結部１９を構成する一方側係合片１５を、他方側係合片１８（を構成する第１の係合片１６および第２の係合片１７）に係合させることにより、ハーネス２３を保持するための閉環状のハーネス保持部２０が形成されることから、別部材を用いることなく、また、ハーネス２３を束ねたり、別部材に保持させたりする工程を必要とすることなく、該ハーネス保持部２０にハーネス２３を確実に保持させることができる。
【００４４】
また、第１の係合片１６および第２の係合片１７に、一方側係合片１５との係合が外れないようにするための係脱防止部１６ａ，１７ａが設けられているので、例えば、一方側係合片１５が折損してダクト構成部材１４から離脱したような場合にも、一方側係合片１５が第１の係合片１６および第２の係合片１７に係合した状態が維持されるため、一方側係合片１５、第１の係合片１６および第２の係合片１７が、ハーネス固定用の係合片として機能し、ハーネス保持部２０が有効に機能する状態がそのまま維持されることから、ハーネス２３を確実に保持することが可能で、高い信頼性を確保することができる。
【００４５】
また、この実施例の食器洗浄乾燥機においては、ダクト構成部材１４が、ヒンジ部１３で折り曲げて閉じ合わせることにより筒状となった状態を保持するための保持固定部２１（係合部２１ａ，２１ｂ）を備えており、ダクト構成部材１４をヒンジ部１３で折り曲げて閉じ合わせた後、係合部２１ａと係合部２１ｂとを係合させることにより、ダクト構成部材１４が筒状の状態に確実に保持されるように構成されているので、ダクト構成部材１４を保持固定部２１により確実に筒状に保持固定した後、ハーネス２３の引き回しや、ハーネス保持部２０へのハーネス２３の保持作業などを行うことができるため、給気ダクト１２の取り付け態様などにより、ハーネス保持部２０が給気ダクト１２のいずれの位置（例えば、上側や下側、左側や右側の位置）にある場合にも、容易かつ確実にハーネス２３をハーネス保持部２０に保持させることができる。
【００４６】
なお、上記実施例では、ダクト構成部材１４が、ヒンジ部１３で折り曲げて閉じ合わせることにより筒状となった状態を保持するための保持固定部２１（係合部２１ａ，２１ｂ）を備えている場合を例にとって説明したが、保持固定部（図３の係合部２１ａ，２１ｂに相当する機構部）を備えていない構成とすることも可能である。
【００４７】
なお、ダクト構成部材が、この保持固定部（図３の係合部２１ａ，２１ｂに相当する機構部）を備えていない構成の場合には、一対の略半割り筒状部を、ヒンジ部において折り曲げて閉じ合わせた後、第１の係合片および第２の係合片の間にハーネスを嵌め込み（図５参照）、一方側係合片を、他方側係合片を構成する第１の係合片および第２の係合片に係合させることにより（図６参照）、ハーネスを、一方側係合片、第１の係合片、第２の係合片、およびダクト構成部材から形成される閉環状のハーネス保持部に確実に保持させることができる。
【００４８】
なお、上記実施例では、一方側係合片および他方側係合片をそれぞれ２つずつ備えた給気ダクトにハーネスを保持させるようにした場合を例にとって説明したが、ハーネス保持部を構成する一方側係合片および他方側係合片の数には特に制約はなく、ハーネス保持機構を備えた実際の食器洗浄乾燥機の構造などを考慮して、適切な数とすることが可能である。
【００４９】
本願発明は、さらにその他の点においても上記実施例に限定されるものではなく、ダクトを構成するダクト構成部材、締結部、該締結部を構成する第１の係合片および第２の係合片の具体的な構成や細部の構造、第１の係合片が、一方側係合片と第２の係合片の係合が外れた状態においても、前記一方側係合片の動作を干渉し、一方側係合片と第１の係合片の係合が完全には外れないようにするための具体的な形状、ダクト構成部材を筒状の状態に保持するための保持固定部の具体的な構造、ハーネス保持機構を備えた食器洗浄乾燥機を構成する本体ケースや洗浄槽の構成などに関し、発明の範囲内において、種々の応用、変形を加えることが可能である。
【産業上の利用可能性】
【００５０】
上述のように、本願発明によれば、コードクランプなどの部品を用いることが不要で、部品点数を増やすことなくハーネスを確実に保持することが可能であるとともに、ダクトを容易に形成することが可能な、生産性に優れたハーネス保持機構およびハーネス保持方法を提供することが可能になる。
したがって、本願発明は、洗浄後の食器を乾燥させるために、洗浄槽に乾燥用空気を供給するためのファンおよび乾燥用空気を通過させるためのダクトを備え、内部にハーネスを引き回した構造を有するハーネス保持機構を備えた食器洗浄乾燥機などの分野に広く適用することが可能である。
【図面の簡単な説明】
【００５１】
【図１】本願発明の一実施例にかかる食器洗浄乾燥機の斜視図である。
【図２】本願発明の一実施例にかかるハーネス保持機構が用いられている食器洗浄乾燥機を示す図である。
【図３】本願発明の一実施例にかかる食器洗浄乾燥機を据え付け施工する場合において、ハーネスをハーネス保持部である閉環状領域に保持させる方法を説明する図である。
【図４】本願発明の一実施例にかかる食器洗浄乾燥機を据え付け施工する場合において、ハーネスをハーネス保持部である閉環状領域に保持させる方法を説明する別の図である。
【図５】本願発明の一実施例にかかる食器洗浄乾燥機を据え付け施工する場合において、ハーネスをハーネス保持部である閉環状領域に保持させる方法を説明するさらに別の図である。
【図６】本願発明の一実施例にかかる食器洗浄乾燥機を据え付け施工する場合において、ハーネスをハーネス保持部である閉環状領域に保持させる方法を説明するさらに別の図である。
【図７】本願発明の一実施例にかかる食器洗浄乾燥機を据え付け施工する場合において、ハーネスをハーネス保持部である閉環状領域に保持させる方法を説明するさらに別の図である。
【図８】本願発明の一実施例にかかる食器洗浄乾燥機において、一方側係合片と第２の係合片の係合が外れた状態を示す図である。
【図９】従来の食器洗浄乾燥機を示す斜視図である。
【図１０】図９の食器洗浄乾燥機の要部構成を示す斜視図である。
【図１１】図９の食器洗浄乾燥機において用いられている給気ダクトの要部構成を示す斜視図である。
【符号の説明】
【００５２】
１        本体ケース
２        洗浄槽
３        ドア
１０      食器洗浄乾燥機
１１      ファン
１２      給気ダクト
１２ａ，１２ｂ      一対の略半割り筒状部
１３      ヒンジ部
１４      ダクト構成部材
１５      一方側係合片
１５ａ    一方側係合片の係合孔
１６      第１の係合片
１６ａ    係合突起（係脱防止部）
１６ｂ    第１の係合片の上端部
１７      第２の係合片
１７ａ    フック状の係合突起（係脱防止部）
１８      他方側係合片
１９      締結部
２０      ハーネス保持部
２１      保持固定部
２１ａ，２１ｂ    係合部
２３      ハーネス
【図１】
0004457049.tif 000002
【図２】
0004457049.tif 000003
【図３】
0004457049.tif 000004
【図４】
0004457049.tif 000005
【図５】
0004457049.tif 000006
【図６】
0004457049.tif 000007
【図７】
0004457049.tif 000008
【図８】
0004457049.tif 000009
【図９】
0004457049.tif 000010
【図１０】
0004457049.tif 000011
【図１１】
0004457049.tif 000012